(57)【要約】【課題】片持架設工法における柱頭部の施工に際し、ブラケット支保工を使用することなく、低コストでより安全で、工期を短くすることができる柱頭部施工方法の提供。【解決手段】橋梁の片持架設工法により架設される橋梁の、柱真上部位１３Ａとその両側に一体に張出された張出部位１３Ｂとからなる柱頭部１３を構築するに当たり、先に施工されている脚頭部１０ａ上に、橋脚真上部位１３Ａをコンクリート施工によって形成し、その橋脚真上部１３Ａの両側面に張出基端部用の波型鋼製ウエブ２０を突設し、その波型鋼製ウエブ２０に支持させて仮設梁３０を設置し、その仮設梁３０に張出部位１３Ｂを形成するための荷重を受け持たせて張出部位１３Ｂを形成する。【選択図】図４
2008231706.tif 000002
【特許請求の範囲】
【請求項１】
橋梁の片持架設工法により架設される橋梁の、柱真上部位と該柱真上部位の両側に一体に張出された張出部位とからなる柱頭部を構築するに当たり、先に施工されている脚頭部上に、前記柱頭部を構成する橋脚真上部位をコンクリート施工によって形成し、該橋脚真上部の両側面に張出基端部用の波型鋼製ウエブを突設し、該波型鋼製ウエブに支持させて仮設梁を設置し、該仮設梁に前記張出部位を形成するための荷重を受け持たせて前記張出部位を形成することを特徴としてなる橋梁の片持架設工法における柱頭部の施工方法。
【請求項２】
前記張出基端部用の波型鋼製ウエブを橋脚真上部位の両側面に突設した後、該両張出基端部用の波型鋼製ウエブの基端部上面部位間をＰＣ緊張材により緊張する請求項１に記載の橋梁の片持架設工法における柱頭部の施工方法。
【請求項３】
前記張出基端部用の波型鋼製ウエブの橋脚真上部位側端部には、該橋脚真上部位の側面に当接する接合板を一体に備えるとともに上フランジを前記該接合板上端より更に橋脚真上部位側に突出させ、その上フランジ突出部の下面を先に施工されている橋脚真上部位の上面に当接させ、該上フランジ突出部の上面にＰＣ緊張材定着用のブラケットを備え、該ブラケットに前記ＰＣ緊張材の端部を定着させる請求項２に記載の橋梁の片持架設工法における柱頭部の施工方法。
【請求項４】
前記仮設梁に前記張出部位を形成するための作業足場を吊り下げ支持させた後、該張出基端部用の波型鋼製ウエブの先端に別の波型鋼板ウエブを連結して必要な張出部位長さの張出部位用の波型鋼製ウエブとなし、該波型鋼製ウエブの上フランジと一体に上床版を、下フランジと一体に下床版をそれぞれコンクリート施工する請求項１〜３の何れか１の請求項に記載の橋梁の片持架設工法における柱頭部の施工方法。
【発明の詳細な説明】
【技術分野】
【０００１】
本発明は、橋梁の片持架設工法、即ち、橋脚上端の脚頭部上に設置した柱頭部側面より片持梁を所定長さずつ延長させる方式の橋梁架設工法において、その柱頭部を簡易に形成することができる橋梁の片持架設工法における柱頭部の施工方法に関する。
【背景技術】
【０００２】
一般に、橋梁の片持仮設工法は、図１１に示すように、橋脚１上に、橋脚真上部位２ａとその両側に所定長さだけ張出した張出部位２ｂ，２ｂとからなる柱頭部２を構築し、その上に左右２台の張出架設作業車（ワーゲン）３，３をそれぞれ載置し、該ワーゲン３，３から垂下させた吊り材４に支持させて所定長さ分の吊り足場５，５を吊り持ちさせ、該足場５，５に1張り出し作業長さ分のコンクリート荷重を受け持たせるようにしている（例えば特許文献１）。
【０００３】
この種の従来工法では、柱頭部の構築に際し、図１２に示すように橋脚１の脚頭部外周に、鋼製のブラケット６ａ上に足場６ｂを組み立てたブラケット支保工６を固定し、該ブラケット支保工６に張出部位２ｂのコンクリート荷重を受け持たせるようにしている。
【０００４】
この他、上述したブラケット支保工を使用しない工法として、左右２台のワーゲンの幅を違えておき、両ワーゲンを橋梁幅方向に互いに隣り合って設置できる構造とし、張出部位構築の際のブラケット支保工を不要とする技術が開発されている（特許文献２）。
【特許文献１】特公平７−３９６４４号公報
【特許文献２】特開２００４−２１８３１６号公報
【発明の開示】
【発明が解決しようとする課題】
【０００５】
上述した従来のブラケット支保工を使用する工法では、構築される柱頭部は、その上に左右２台のワーゲンが載置できるだけの長さが必要なため、ブラケット支保工もそれに耐えるだけの強度と大きさが必要であり、それ自体の製造コストが高く、しかも大重量のブラケット支保工の高所への取り付け作業及び解体作業に多大の労力と時間を要し、かつ大きな危険を伴うという問題があった。
【０００６】
上述した特許文献２に示されている発明においては、柱頭部の両張出部位を支持させるためのブラケット支保工は不要であるが、ワーゲンの構造が特殊なものとなってコスト高となるという問題がある。
【０００７】
本発明は上述の如き従来の問題に鑑み、片持架設工法における柱頭部の施工に際し、ブラケット支保工を使用することなく構築が可能であり、しかも、その後の張出施工に使用するワーゲンも特殊な構造とすることなく、従来多用されているものを使用できて、低コストでより安全で、工期も短くすることができる片持架設工法における柱頭部の施工方法の提供を目的としてなされたものである。
【課題を解決するための手段】
【０００８】
上述の如き従来の問題を解決し、所期の目的を達成するための請求項１に記載の発明の特徴は、橋梁の片持架設工法により架設される橋梁の、柱真上部位と該柱真上部位の両側に一体に張出された張出部位とからなる柱頭部を構築するに当たり、先に施工されている脚頭部上に、前記柱頭部を構成する橋脚真上部位をコンクリート施工によって形成し、該橋脚真上部の両側面に張出基端部用の波型鋼製ウエブを突設し、該波型鋼製ウエブに支持させて仮設梁を設置し、該仮設梁に前記張出部位を形成するための荷重を受け持たせて前記張出部位を形成することにある。
【０００９】
請求項２に記載の発明の特徴は、前記請求項１の構成に加え、前記張出基端部用の波型鋼製ウエブを橋脚真上部位の両側面に突設した後、該両張出基端部用の波型鋼製ウエブの基端部上面部位間をＰＣ緊張材により緊張することにある。
【００１０】
請求項３に記載の発明の特徴は、前記請求項２の構成に加え、前記張出基端部用の波型鋼製ウエブの橋脚真上部位側端部には、該橋脚真上部位の側面に当接する接合板を一体に備えるとともに上フランジを前記該接合板上端より更に橋脚真上部位側に突出させ、その上フランジ突出部の下面を先に施工されている橋脚真上部位の上面に当接させ、該上フランジ突出部の上面にＰＣ緊張材定着用のブラケットを備え、該ブラケットに前記ＰＣ緊張材の端部を定着させることにある。
【００１１】
請求項４に記載の発明の特徴は、前記請求項１，２又は３のいずれか１の請求項の構成に加え、仮設梁に前記張出部位を形成するための作業足場を吊り下げ支持させた後、該張出基端部用の波型鋼製ウエブの先端に別の波型鋼板ウエブを連結して必要な張出部位長さの張出部位用の波型鋼製ウエブとなし、該波型鋼製ウエブの上フランジと一体に上床版を、下フランジと一体に下床版をそれぞれコンクリート施工することにある。
【発明の効果】
【００１２】
本発明においては、請求項１に記載の如く、先に施工されている脚頭部上に、前記柱頭部を構成する橋脚真上部位をコンクリート施工によって形成し、該橋脚真上部の両側面に張出基端部用の波型鋼製ウエブを突設し、該波型鋼製ウエブに支持させて仮設梁を設置し、該仮設梁に前記張出部位を形成するための荷重を受け持たせて前記張出部位を形成するようにしたことにより、従来のような大掛かりなブラケット支保工の製造、組み立て脚頭部への取り付け解体の作業が不要となり、これらの従来作業に代わって、柱頭部の張出部位の補強鋼材となりうる鋼製梁を橋脚真上部位に張出すのみで、ブラケットに代えることが可能となり、張出部位形成のための足場構造が簡略化され、コストが削減されるとともに工期も短縮できる。
【００１３】
請求項２の如く、張出基端部用の波型鋼製ウエブを橋脚真上部位の両側面に突設した後、該両張出基端部用の波型鋼製ウエブの基端部上面部位間をＰＣ緊張材により緊張することにより波型鋼製ウエブにかかる下向き荷重をＰＣ緊張材の張力によって受け持たせることができることとなり、橋脚真上部位と波型鋼製ウエブとの連結部位に高い連結強度が要求されず、このため、連結部位の構造が簡略化され、作業性が良くなるとともにコストが削減される。
【００１４】
請求項３の如く、張出基端部用の波型鋼製ウエブの橋脚真上部位側端部には、該橋脚真上部位の側面に当接する接合板を一体に備えるとともに上フランジを前記該接合板上端より更に橋脚真上部位側に突出させ、その上フランジ突出部の下面を先に施工されている橋脚真上部位の上面に当接させ、該上フランジ突出部の上面にＰＣ緊張材定着用のブラケットを備え、該ブラケットに前記ＰＣ緊張材の端部を定着させるようにすることにより、張出基端部用の波型鋼製ウエブと橋脚真上部位との接合構造が簡易で、高い強度を有するものとできる。
【００１５】
更に、請求項４の如く、仮設梁に前記張出部位を形成するための作業足場を吊り下げ支持させ後、前記該張出基端部用の波型鋼製ウエブの先端に別の波型鋼板ウエブを連結して必要な張出部位長さの張出部位用の波型鋼製ウエブとなし、該波型鋼製ウエブの上フランジと一体に上床版を、下フランジと一体に下床版をそれぞれコンクリート施工することにより、必要長さの張出部位が簡易に構築することができる。
【発明を実施するための最良の形態】
【００１６】
次に本発明の実施の形態を図１〜図１０に示した実施例に基づいて説明する。図１及び図２は本発明によって形成される柱頭部の概略をしめしている。図において符号１０は橋脚であり、１０ａは橋脚上端の脚頭部、１３は脚頭部１０ａ上に支持され、片持架設工法により架設する橋梁の基端部を構成する柱頭部である。本発明方法では、柱頭部１３の施工に際し、橋脚真上部位１３Ａとその両側に張出される張出部位１３Ｂ，１３Ｂとを別々に構築する。
【００１７】
橋脚真上部位１３Ａの施工に際しては、先ず図３に示すように、脚頭部１０ａの上方周囲に橋脚真上部形成のための足場１４を組み、これに支持させて型枠１５を組み立て、必要な配筋を施し、場所打ちコンクリートを打設する。この足場１４は、橋脚１０の上端の脚頭部１０ａを構築する際に使用したものの上に必要な高さ分だけ積み上げて組み立てる。
【００１８】
このようにして橋脚真上部位１３Ａを構築する際に、張出基端部用の波型鋼製ウエブ（以下、基端波型鋼製ウエブと記す）２０橋脚真上部位１３Ａの両側面に取り付ける。この基端波型鋼製ウエブ２０は、図２、図７〜図９に示すように、鋼製の波型鋼板２１の上縁に鋼製の上フランジ２２ａが、下縁に同じく鋼製の下フランジ２２ｂが一体に備えられたものを使用している。
【００１９】
基端波型鋼製ウエブ２０の橋脚真上部位１３Ａ側の端部には、背面が波型鋼板２１の端部に一体化され、上下が上下フランジ２２ａ，２２ｂに一体化された縦向きフランジ２３が備えられ、その縦向きフランジ２３の前面両縁及び上下フランジ２２ａ，２２ｂの対向面間に一体化された一対のアンカープレート２４，２４が備えられている。
【００２０】
このアンカープレート２４，２４には多数の貫通孔２５，２５……が開口されており、図には詳示してないがこの貫通孔２５内に橋脚真上部位１３Ａ内の鉄筋が通され、これによって基端波型鋼製ウエブ２０を橋脚真上部位１３Ａと一体化させている。
【００２１】
上フランジ２２ａはこのアンカープレート２４，２４より更に前面側に延長され、対橋脚真上部位上面接合板２６となっている。そして、該接合板２６の上面に後述するＰＣ緊張材の緊張定着用のブラケット２７が突設されている。
【００２２】
基端波型鋼製ウエブ２０の橋脚真上部位１３Ａに対する連結は、前述したアンカープレート２４，２４を橋脚真上部位１３Ａ側面に埋め込むとともに、水平向きの接合板２６を橋脚真上部位１３Ａの上面に当接させる。そして橋脚真上部位１３Ａのコンクリートの固化後、橋脚真上部位１３Ａの両側面の基端波型鋼製ウエブ２０，２０の両ブラケット２７，２７間にＰＣ緊張材２８を掛け渡し、これを緊張し、定着金具２９，２９を介して両ブラケット２７，２７に定着させる。
【００２３】
尚、本例では橋脚真上部位１３Ａの構築作業時に基端波型鋼製ウエブ２０を突設する作業を行うこととしているが、橋脚真上部位１３Ａのコンクリート施工完了後に、その両側面に基端波型鋼製ウエブ２０を突設し、同様にＰＣ緊張材２８によって緊張するようにしてもよい。
【００２４】
このようにして橋脚真上部位１３Ａの構築及び基端波型鋼製ウエブ２０の突設作業が完了した後、張出部位１３Ｂ，１３Ｂを構築する。張出部位１３Ｂ，１３Ｂの施工に際しては、先ず図４に示すように両基端波型鋼製ウエブ２０の先端部に支持させて仮設梁３０を設置する。次いで仮設梁３０に支持させてワーゲン下段作業足場３１，３１を、吊り材３２，３２……をもって吊り下げる。この足場３１，３１を使用して基端波型鋼製ウエブ２０の先端に延長用波型鋼製ウエブ３３，３３を連結し、張出部位１３Ｂ，１３Ｂに必要な長さに波型鋼製ウエブを延長させる。
【００２５】
この延長作業は、図１に示すように基端波型鋼製ウエブ２０の先端に延長用波型鋼製ウエブ３３を１又は複数枚連結して延長するものであり、その連結は、従来の波型鋼製ウエブの連結と同様に行うことができるが、本例では、図１０に示すように、互いに延長配置に接合される波型鋼製ウエブ間において、接合される両上フランジ２２ａ，２２ａ間及び両下フランジ２２ｂ，２２ｂ間に跨らせて添接板３４，３４を当て、これにボルト３５，３５……を貫通させて締結することによって行う。
【００２６】
鋼製波型鋼製ウエブを両張出部位１３Ｂ，１３Ｂに必要な長さに延長させた後、前記各吊り材３２に支持させて上床版４０及び下床版４１用の型枠４２，４３を組み、コンクリートを打設して上下の床版４０，４１をコンクリート形成することにより両張出部位１３Ｂ、１３Ｂを構築する。
【００２７】
このようにして両張出部位１３Ｂ，１３Ｂを構築後、図５に示すように柱頭部１３上に２台の内の一方のワーゲン４５を載置し、このワーゲン４５に、仮設梁３０に吊り下げられている一方のワーゲン下段作業足場３１を吊り変え、しかる後図６に示すようにワーゲン４５を柱頭部１３の張出部位１３Ｂ上に移動させる。一方のワーゲンの移動作業の後、他方のワーゲン４５も同様にして吊り変え作業及び移動作業を行い、両張出部位からの片持架設を開始する。
【図面の簡単な説明】
【００２８】
【図１】本発明方法によって形成される柱頭部の概略を示す縦断面図である。
【図２】同上の片側のみを示す斜視図である。
【図３】本発明方法における柱頭部の橋脚真上部位を形成する工程を示す縦断面図である。
【図４】本発明方法における柱頭部の張出部位を形成する工程を示す縦断面図である。
【図５】本発明方法における柱頭部形成後にワーゲンにて吊り変える工程を示す縦断面図である。
【図６】本発明方法における柱頭部形成後ワーゲンにて片持架設する工程を示す縦断面図である。
【図７】本発明方法における橋脚真上部位から基端波型鋼製ウエブを突設した状態の部分省略側面図である。
【図８】同上の部分平面図である。
【図９】図８中のＡ−Ａ線断面図である。
【図１０】本発明方法における基端波型鋼製ウエブと延長用波型鋼製ウエブとの連結状態を示す側面図である。
【図１１】従来の橋梁片持架設工法の概略を示す側面図である。
【図１２】同上の柱頭部形成工程をしめす縦断面図である。
【符号の説明】
【００２９】
１０  橋脚
１０ａ  脚頭部
１３  柱頭部
１３Ａ  橋脚真上部位
１３Ｂ  張出部位
１４  足場
１５  型枠
２０  基端波型鋼製ウエブ
２１  波型鋼板
２２ａ  上フランジ
２２ｂ  下フランジ
２３  縦向きフランジ
２４  アンカープレート
２５  貫通孔
２６  対橋脚真上部位上面接合板
２７  ブラケット
２８  ＰＣ緊張材
２９  定着金具
３０  仮設梁
３１  ワーゲン下段作業足場
３２  吊り材
３３  延長用波型鋼製ウエブ
３４  添接板
３５  ボルト
４０  上床版
４１  下床版
４２  型枠
４５  ワーゲン
【図１】
2008231706.tif 000003
【図２】
2008231706.tif 000004
【図３】
2008231706.tif 000005
【図４】
2008231706.tif 000006
【図５】
2008231706.tif 000007
【図６】
2008231706.tif 000008
【図７】
2008231706.tif 000009
【図８】
2008231706.tif 000010
【図９】
2008231706.tif 000011
【図１０】
2008231706.tif 000012
【図１１】
2008231706.tif 000013
【図１２】
2008231706.tif 000014